(57)【要約】【課題】効率がよい橋脚構築方法を提供する。【解決手段】水域に橋脚３３を構築する橋脚構築方法であって、水域に橋脚３３の基礎を構築するための鋼管矢板井筒１を構築する前段構造物構築工程と、鋼管矢板井筒１に設けられた仮支柱７を介して鋼管矢板井筒１に支持されるように、架設桁５を鋼管矢板井筒１に架け渡す桁架設工程と、架設桁５を通じて搬送される資機材９を用いて鋼管矢板井筒１に橋脚３３を構築する橋脚構築工程と、を備え、仮支柱７は、桁架設工程に先立って、鋼管矢板井筒１の近傍まで片持ちで延伸された架設桁５を通じて搬送される資機材９を用いて鋼管矢板井筒１に設けられる。【選択図】図５
2020002778.tif 000002
【特許請求の範囲】
【請求項１】
水域に橋脚を構築する橋脚構築方法であって、
前記水域に前記橋脚の基礎を構築するための前段構造物を構築する前段構造物構築工程と、
前記前段構造物に設けられた仮支柱を介して前記前段構造物に支持されるように、架設桁を前記前段構造物に架け渡す桁架設工程と、
前記架設桁を通じて搬送される資機材を用いて前記前段構造物に前記橋脚を構築する橋脚構築工程と、を備え、
前記仮支柱は、前記桁架設工程に先立って、前記前段構造物の近傍まで片持ちで延伸された前記架設桁を通じて搬送される資機材を用いて前記前段構造物に設けられる、橋脚構築方法。
【請求項２】
水域に橋脚を構築する橋脚構築方法であって、
前記水域に前記橋脚の基礎を構築するための前段構造物を構築する前段構造物構築工程と、
前記前段構造物の近傍の水域に仮支柱を構築する仮支柱構築工程と、
前記仮支柱に架設桁を架け渡す桁架設工程と、
前記架設桁を通じて搬送される資機材を用いて前記前段構造物に前記橋脚を構築する橋脚構築工程と、を備える、橋脚構築方法。
【請求項３】
前記前段構造物は、前記水域を締切る締切工を有し、
前記橋脚構築工程では、前記締切工の内部に前記橋脚が構築される、請求項１又は２に記載の橋脚構築方法。
【請求項４】
前記橋脚構築工程は、
前記橋脚の構築に用いる資機材を仮置きするための、前記締切工に支持され前記締切工から外側に張出した張出ステージを設けるステージ設置工程を有する、請求項３に記載の橋脚構築方法。
【請求項５】
前記橋脚構築工程は、
前記資機材同士が組み立てられて構成される資機材ユニットを前記締切工の内部に吊下ろすユニット吊下工程を有する、請求項３又は４に記載の橋脚構築方法。
【請求項６】
水域に橋脚を構築する橋脚構築方法であって、
前記水域を締切る締切工を構築する締切工程と、
前記橋脚の構築に用いる資機材を仮置きするための、前記締切工に支持され前記締切工から外側に張出した張出ステージを設けるステージ設置工程と、
を備える、橋脚構築方法。
【発明の詳細な説明】
【技術分野】
【０００１】
本発明は、橋脚構築方法に関するものである。
【背景技術】
【０００２】
従来、河川の水域を締切って橋梁の橋脚を施工する方法が知られている（例えば、特許文献１参照。）。また、この種の橋梁の施工において、浚渫量を削減して環境への影響を軽減しながらも渇水期を含めた通年施工を可能にして施工期間の短縮を図るために、橋脚を主に上空から施工する方法が従来から知られている（例えば、非特許文献１，２参照。）。この施工方法は次のように実行される。まず、渇水期に河川内の浚渫が行われ、杭打ち台船を用いて図９及び図１０（ａ）に示されるような鋼管矢板井筒２０１が構築される。鋼管矢板井筒２０１は、水域を締切るように水面７３上に突出し平面視円環状をなす。
【０００３】
鋼管矢板井筒２０１のうち、橋軸直角方向（図１０（ａ）の紙面直交方向）に対面する一対の部位２０７，２０７は、他の部位よりも更に上方に突出するように設けられている。例えば、当該部位２０７（以下、「突出部位２０７」という）を構成する複数の鋼管２０３ａが、他の鋼管２０３ｂよりも高く上方に延び出すことにより、上記のような構造が実現されている。なお、他の鋼管２０３ｂは、一般的な鋼管矢板井筒における鋼管と同程度の高さで水面から突出している。このような突出部位２０７を補強する補強構造部（図示せず）が適宜構築されてもよい。
【０００４】
２つの突出部位２０７，２０７の上端には、橋軸直角方向に延びる受梁２１１が架け渡される。そして、受梁２１１上には、橋軸方向に延びる架設桁２０５の先端部が載置される。例えば、架設桁２０５は、鋼管矢板井筒２０１に隣接する他の鋼管矢板井筒（図示せず）から送り出されて、その先端部が鋼管矢板井筒２０１上に到達する。また受梁２１１と架設桁２０５との間には、サンドル、ジャッキ、駆動シンクロジャッキ、エンドレスローラー等を含む嵩上装置２１２が挟み込まれ、架設桁２０５の嵩上げが適宜行われる。これにより、受梁２１１及び架設桁２０５の荷重が鋼管矢板井筒２０１によって支持される。
【０００５】
架設桁２０５の上面には、橋軸方向に移動可能な揚重設備２２１及び運搬台車２２３が設置されている。この揚重設備２２１が鋼管矢板井筒２０１の上方の位置（例えば、受梁２１１の直上の位置）に配置される。
【０００６】
架設桁２０５の設置後、図１０（ｂ）に示されるように、鋼管矢板井筒２０１の内部では、必要に応じて内部補強をしながら河底の水中掘削が実行され、敷石層２２７及び底盤コンクリート２２９が構築された後、鋼管矢板井筒２０１の内部がドライアップされ、底盤コンクリート２２９上に頂版コンクリート２３１が構築される。更に、頂版コンクリート２３１の上方に橋脚２３３が構築される。
【０００７】
更に、図１１（ａ）に示されるように、一対の突出部位２０７同士の間の位置で、橋脚２３３の上方に、場所打ちコンクリートによる柱頭部２４１が構築される。その後、図１１（ｂ）に示されるように、完成した柱頭部２４１上にベント２４３が設置され、このベント２４３に受梁２１１及び架設桁２０５の荷重が盛り替えられる。その後、上記荷重から解放された受梁２１１の両端部が除去される。これにより、受梁２１１及び架設桁２０５の荷重は、柱頭部２４１及び橋脚２３３に盛り替えられ、支持される。
【０００８】
その後、図１２（ａ）に示されるように、鋼管矢板井筒２０１の上部が頂版コンクリート２３１上端の位置で切除される。そして、図１２（ｂ）に示されるように、柱頭部２４１が橋軸方向の両方に張出すように延長される。その後、延長された柱頭部２４１の両側にそれぞれワーゲン２４５が設置され、張出架設工法によって橋桁が順次構築されていく。一方、架設桁２０５は、隣の鋼管矢板井筒に向けて送り出され、当該隣の鋼管矢板井筒において上述の工程が実行される。以上を鋼管矢板井筒ごとに実行することで、橋梁が建造される。
【０００９】
上述のような水中掘削、敷石層２２７の構築、底盤コンクリート２２９の構築、ドライアップ、頂版コンクリート２３１の構築、及び橋脚２３３の構築に用いられる資機材は、架設桁２０５を通じて鋼管矢板井筒２０１の内部に搬送される。すなわち、鋼管矢板井筒２０１は、完成済みの既設の橋桁と、架設桁２０５とを介して河岸に接続されている。そして、上記の資機材は、河岸から既設橋桁及び架設桁２０５を通じて鋼管矢板井筒２０１の内部に搬送される。例えば、コンクリート打設に使用される生コンクリートは、既設の橋桁及び架設桁２０５上に設けられた配管（図示せず）を通じて河岸から打設現場に供給される。このとき、運搬台車２２３は、資機材を治部クレーン２２１の近傍に搬送し、揚重設備２２１は、当該資機材を鋼管矢板井筒２０１の内部に吊下ろす。なお、上記のような柱頭部２４１の構築、及び張出架設工法による橋桁の構築に使用される資機材も、河岸から既設橋桁及び架設桁２０５を通じて必要な場所に搬送される。
【先行技術文献】
【特許文献】
【００１０】
【特許文献１】特開2017-210840号公報
【非特許文献】
【００１１】
【非特許文献１】「はまゆう大橋頭上の“桁”で資材搬入」、橋梁＆都市PROJECT、橋梁編纂委員会、平成15年12月10日、VOL.39 No.12、2003年12月号、pp.4〜7
【００１２】
【非特許文献２】「吉野川渡河部の環境保全に配慮した構造及び施工」、第６頁〜第８頁（資料(1)-4-2，資料(1)-5，資料(1)-6）、［online］、第５回四国横断自動車道 吉野川渡河部の環境保全に関する検討会(平成27年4月27日開催)、［令和1年9月20日検索］、インターネット(URL:https://corp.w-nexco.co.jp/newly/h27/0427/pdfs/1-02.pdf)
【発明の概要】
【発明が解決しようとする課題】
【００１３】
しかしながら、上述のような方法よりも更に効率がよい橋脚構築方法が求められていた。本発明は、効率がよい橋脚構築方法を提供することを目的とする。
【課題を解決するための手段】
【００１４】
本発明の橋脚構築方法は、水域に橋脚を構築する橋脚構築方法であって、水域に橋脚の基礎を構築するための前段構造物を構築する前段構造物構築工程と、前段構造物に設けられた仮支柱を介して前段構造物に支持されるように、架設桁を前段構造物に架け渡す桁架設工程と、架設桁を通じて搬送される資機材を用いて前段構造物に橋脚を構築する橋脚構築工程と、を備え、仮支柱は、桁架設工程に先立って、前段構造物の近傍まで片持ちで延伸された架設桁を通じて搬送される資機材を用いて前段構造物に設けられる。
【００１５】
本発明の橋脚構築方法は、水域に橋脚を構築する橋脚構築方法であって、水域に橋脚の基礎を構築するための前段構造物を構築する前段構造物構築工程と、前段構造物の近傍の水域に仮支柱を構築する仮支柱構築工程と、仮支柱に架設桁を架け渡す桁架設工程と、架設桁を通じて搬送される資機材を用いて前段構造物に橋脚を構築する橋脚構築工程と、を備える。
【００１６】
前段構造物は、水域を締切る締切工を有し、橋脚構築工程では、締切工の内部に橋脚が構築されることとしてもよい。
【００１７】
橋脚構築工程は、橋脚の構築に用いる資機材を仮置きするための、締切工に支持され締切工から外側に張出した張出ステージを設けるステージ設置工程を有することとしてもよい。
【００１８】
橋脚構築工程は、資機材同士が組み立てられて構成される資機材ユニットを締切工の内部に吊下ろすユニット吊下工程を有することとしてもよい。
【００１９】
本発明の橋脚構築方法は、水域に橋脚を構築する橋脚構築方法であって、水域を締切る締切工を構築する締切工程と、橋脚の構築に用いる資機材を仮置きするための、締切工に支持され締切工から外側に張出した張出ステージを設けるステージ設置工程と、を備える。
【００２０】
本発明の橋脚構築方法は、水域に橋脚を構築する橋脚構築方法であって、水域を締切る締切工を構築する締切工程と、締切工に設けられた仮支柱を介して締切工に支持されるように、架設桁を締切工に架け渡す桁架設工程と、架設桁を通じて搬送される資機材を用いて締切工の内部に橋脚を構築する橋脚構築工程と、を備え、仮支柱は、桁架設工程に先立って、締切工の近傍まで片持ちで延伸された架設桁を通じて搬送される資機材を用いて締切工に設けられる、ものであってもよい。
【００２１】
本発明の橋脚構築方法は、水域に橋脚を構築する橋脚構築方法であって、水域を締切る締切工を構築する締切工程と、締切工の近傍の水域に仮支柱を構築する仮支柱構築工程と、仮支柱に架設桁を架け渡す桁架設工程と、架設桁を通じて搬送される資機材を用いて締切工の内部に橋脚を構築する橋脚構築工程と、を備える、ものであってもよい。
【発明の効果】
【００２２】
本発明によれば、効率がよい橋脚構築方法を提供することができる。
【図面の簡単な説明】
【００２３】
【図１】第１実施形態に係る橋脚構築方法を順次示す側面図（橋軸直角方向の視線で見た図）である。
【図２】第１実施形態に係る橋脚構築方法を順次示す側面図である。
【図３】第１実施形態に係る橋脚構築方法を順次示す側面図である。
【図４】第１実施形態に係る橋脚構築方法を順次示す斜視図である。
【図５】第１実施形態に係る橋脚構築方法を順次示す側面図である。
【図６】第２実施形態に係る橋脚構築方法を順次示す側面図である。
【図７】第２実施形態に係る橋脚構築方法を順次示す側面図である。
【図８】第２実施形態に係る橋脚構築方法を順次示す側面図である。
【図９】従来の橋脚構築方法を順次示す斜視図である。
【図１０】（ａ），（ｂ）は、従来の橋脚構築方法を順次示す側面図（橋軸直角方向の視線で見た図）である。
【図１１】（ａ），（ｂ）は、従来の橋脚構築方法を順次示す側面図である。
【図１２】（ａ），（ｂ）は、従来の橋脚構築方法を順次示す側面図である。
【発明を実施するための形態】
【００２４】
以下、図面を参照しつつ本発明に係る橋脚構築方法の実施形態について詳細に説明する。
【００２５】
（第１実施形態）
本実施形態の橋脚構築方法は、河川に建造される橋梁の橋脚を主に上空から施工する方法であり、次に説明する締切工程と、桁架設工程と、橋脚構築工程と、を備える。以下では、各側面図の左側を左岸側とし、右側を右岸側とする。また、以下では、左岸側から橋脚が順次構築される場合を例として、そのうちの１つの橋脚に注目して構築方法を説明する。また、各図面は特徴的な部分を誇張して図示する場合があるため、図面上の各要素の寸法比は必ずしも正確ではない。
【００２６】
〔締切工程〕
締切工程は、例えば、渇水期に河川内の浚渫が行われた上で実行される。図１に示されるように、締切工程（前段構造物構築工程）では、橋脚の構築予定の位置において、橋脚の基礎を形成するための前段構造物として、河川の水域を締切る締切工が構築される。本実施形態における締切工は、複数の鋼管３を井筒状に配置して水域を締切る鋼管矢板井筒１である。鋼管矢板井筒１は、杭打ち台船等を用いて河底７１に打設され水面７３から上方に突出した複数の鋼管３を備えている。鋼管３同士は所定の継手構造によって互いに接続され、平面視で環状（例えば、円環状）に配列されている。
【００２７】
〔桁架設工程〕
桁架設工程では、鋼管矢板井筒１に対して、左岸側に隣接する既設の鋼管矢板井筒９１から架設桁５を架け渡す。この桁架設工程の前の段階では、図２に示されるように、鋼管矢板井筒９１の上部に仮支柱９７が設けられており、破線で示されるように架設桁５は仮支柱９７を介して鋼管矢板井筒９１に支持されている。或いは、鋼管矢板井筒９１と、その更に左岸側に位置する既設の鋼管矢板井筒（図示せず）と、を含めた複数の既設の鋼管矢板井筒で架設桁５が支持されていてもよい。架設桁５の上面には、橋軸方向に走行可能な揚重設備２１及び運搬台車２３（図４参照）が設置されている。
【００２８】
この状態から、図２に示されるように、鋼管矢板井筒９１から右岸側に向けて架設桁５が送り出され、鋼管矢板井筒１の近傍まで片持ちで延伸される。その後、鋼管矢板井筒１の上部に、前述の仮支柱９７と同様の構造の仮支柱７が設けられる。この仮支柱７の構築は、左岸から架設桁５を通じて搬送される資機材９を用いて行われる。なお、本明細書における「資機材」には、例えば、鉄筋、鉄骨、ＰＣ鋼材、生コンクリート等の建設材料や、型枠、仮設足場等の建設資材が含まれる。例えば、左岸から延びる完成済みの既設の橋桁（図示せず）が存在する場合には、当該既設橋桁と架設桁５とを通じて上記のような資機材９が搬送される。例えば、生コンクリートは、既設橋桁及び架設桁５に設けられた配管（図示せず）を通じて、左岸から打設現場に供給される。
【００２９】
図４にも示されるように、仮支柱７は、鋼管矢板井筒１の上端部のうち、橋軸直角方向に対面する箇所に１つずつ形成される。そして、一対の仮支柱７の上端に、橋軸直角方向に延びる受梁１１が架け渡される。一対の仮支柱７は、後述する柱頭部４１に干渉しない位置及び大きさで設けられる。また、仮支柱７は、上記受梁１１が上記柱頭部４１に干渉しないような高さに設けられる。仮支柱７は、鋼管矢板井筒１を構成する複数の鋼管３の上端部に接合される。この接合方法は、例えば，溶接、ボルト締結等の種々の接合方法が採用され得る。
【００３０】
その後、図３及び図４に示されるように、架設桁５の先端部を受梁１１及び仮支柱７に支持させるようにして、鋼管矢板井筒９１から右岸側に向けて更に架設桁５が送り出される。最終的には、送り出された架設桁５の先端部が鋼管矢板井筒１の鉛直上方を横切る位置まで送り出される。そして、架設桁５と受梁１１との間に、サンドル、ジャッキ、駆動シンクロジャッキ、エンドレスローラー等を含む嵩上装置１２が挿入されることで、架設桁５の上下位置が調整される。架設桁５は、仮支柱７を介して鋼管矢板井筒１で支持されると共に、仮支柱９７を介して鋼管矢板井筒９１で支持された状態となる。すなわち、鋼管矢板井筒９１から鋼管矢板井筒１に対して架設桁５が架け渡された状態となり、架設桁５は、少なくとも鋼管矢板井筒１及び鋼管矢板井筒９１によって支持される。このとき例えば、架設桁５の長さが少なくとも２スパン分であり、鋼管矢板井筒９１の更に左岸側に隣接する鋼管矢板井筒（図示せず）を含め３本の鋼管矢板井筒で架設桁５が支持されてもよい。
【００３１】
〔橋脚構築工程〕
橋脚構築工程では、図４に示されるように、水面７３の上方において鋼管矢板井筒１の外縁部から水平に張出した張出ステージ１３が設けられる（ステージ設置工程）。張出ステージ１３は、例えば鋼管矢板井筒１を中心とする円環板状をなし、鋼管矢板井筒１に支持され当該鋼管矢板井筒１の全周に亘って存在している。また、張出ステージ１３上には、当該張出ステージ１３上を走行可能な運搬台車１５と、当該運搬台車１５に資機材９を積み降ろしする揚重設備１７と、が設置される。また、受梁１１の下面には、鋼管矢板井筒１の内部と運搬台車１５との間で資機材９を上下に搬送する天井クレーン１９が設置される。またここでは、架設桁５上の揚重設備２１は、鋼管矢板井筒１の上方の位置（例えば、受梁１１の直上の位置）に配置される。
【００３２】
平面視において、張出ステージ１３は、架設桁５から橋軸直角方向にはみ出すサイズに設けられる。この構造により、揚重設備２１は、架設桁５上の資機材９を鉛直に吊下ろして張出ステージ１３上に仮置きしたり、張出ステージ１３上の資機材９を鉛直に吊上げて架設桁５上に運搬したりすることができる。ここで仮に、張出ステージ１３が存在せず、架設桁５から鋼管矢板井筒１内部まで揚重設備２１で資機材９を搬送するとすれば、揚重設備２１から吊下げられた資機材９を当該揚重設備２１の鉛直下方の位置に向けて内側に引き込む作業が発生し、作業の安全性が低下する虞がある。これに対し、張出ステージ１３が存在することにより、揚重設備２１による資機材９の搬送を鉛直方向にすることができ、作業の安全性を高めることができる。
【００３３】
揚重設備１７は、張出ステージ１３上に仮置きされた資機材９を運搬台車１５上に積載することに用いられる。運搬台車１５は、張出ステージ１３の内縁から内側にはみ出すようにして天井クレーン１９の鉛直下方の位置にも移動可能である。この構造により、天井クレーン１９は、運搬台車１５上の資機材９を鉛直に吊上げ及び吊下ろしし鋼管矢板井筒１内部まで運搬することができる。上記のような運搬台車１５の移動を可能とするために、例えば図４に示されるように、運搬台車１５を案内する案内レール１４が張出ステージ１３に設けられてもよい。案内レール１４は、張出ステージ１３の上面を含む平面に沿って設けられ、例えば、橋軸直角方向に延びるレール１４ａと、天井クレーン１９の下方で橋軸方向に延びるレール１４ｂとを有している。レール１４ｂの両端は張出ステージ１３の内縁で両持ち支持されてもよい。運搬台車１５は、このような案内レール１４で案内されて、橋軸直角方向の移動が可能であり、また天井クレーン１９の鉛直下方（鋼管矢板井筒１内部の鉛直上方）を通過するような橋軸方向の移動が可能である。
【００３４】
図５に示されるように、張出ステージ１３の設置後、鋼管矢板井筒１の内部において、必要に応じて内部補強をしながら河底の水中掘削が実行され、敷石層２７及び底盤コンクリート２９が構築された後、鋼管矢板井筒１の内部がドライアップされ、底盤コンクリート２９上に頂版コンクリート３１が構築される。更に、頂版コンクリート３１の上方に鉄筋コンクリート製の橋脚３３が構築される。
【００３５】
その後、一対の仮支柱７同士の間の位置で、橋脚３３の上方に、場所打ちコンクリートによる柱頭部４１が構築される。そして、柱頭部４１が完成した後、受梁１１及び架設桁５の荷重が柱頭部４１に盛り替えられ、鋼管矢板井筒１の上部が頂版コンクリート３１の上端の位置で切除される。受梁１１及び架設桁５の荷重の盛り替え方法は、図１１（ｂ）で説明した方法と同様であるので、詳細な説明を省略する。
【００３６】
以上のようにして橋脚３３が完成する。上部が切除されて残存する鋼管矢板井筒１と、当該鋼管矢板井筒１内部に構築された敷石層２７、底盤コンクリート２９、及び頂版コンクリート３１と、によって橋脚３３の基礎が構成される。
【００３７】
なお、このように橋脚３３が完成した後は、柱頭部４１が橋軸方向の両方に張出すように延長される。その後、延長された柱頭部４１の両側にそれぞれワーゲン（図示せず）が設置され、張出架設工法によって橋桁が順次構築されていく。その後、架設桁５は、隣の鋼管矢板井筒に向けて送り出され、当該隣の鋼管矢板井筒において上述の工程が実行される。以上を鋼管矢板井筒ごとに実行することで、橋梁が建造される。
【００３８】
上記のような水中掘削、敷石層２７の構築、底盤コンクリート２９の構築、ドライアップ、頂版コンクリート３１の構築、橋脚３３の構築、柱頭部４１の構築、及び張出架設工法による橋桁の構築の方法としては、公知の方法を採用すればよく、更なる詳細な説明は省略する。
【００３９】
上記のような水中掘削、敷石層２７の構築、底盤コンクリート２９の構築、ドライアップ、頂版コンクリート３１の構築、及び橋脚３３の構築に用いられる資機材９は、左岸から架設桁５を通じて鋼管矢板井筒１の内部に搬送される。すなわち、鋼管矢板井筒１は、完成済みの既設の橋桁と、架設桁５とを介して左岸に接続されている。そして、上記の資機材は、河岸から既設橋桁及び架設桁５を通じて鋼管矢板井筒１の内部に搬送される。例えば、コンクリート打設に使用される生コンクリートは、既設の橋桁及び架設桁５上に設けられた配管（図示せず）を通じて左岸から打設現場に供給される。なお、上記のような柱頭部４１の構築、及び張出架設工法による橋桁の構築に使用される資機材９も、左岸から既設橋桁及び架設桁５を通じて必要な場所に搬送される。また、水中掘削による掘削土は架設桁５上にベルコン等の搬送装置を設置して運搬する。
【００４０】
特に、架設桁５上から鋼管矢板井筒１内部までの資機材９の搬送は、前述の運搬台車２３、揚重設備２１、揚重設備１７、運搬台車１５、及び天井クレーン１９を用いて実行される。このとき、架設桁５上を運搬台車２３によって揚重設備２１近傍まで搬送された資機材９は、揚重設備２１によって鉛直に吊下ろされて、張出ステージ１３上に仮置きされる（仮置き工程）。そして、仮置きされた資機材９は、揚重設備１７によって運搬台車１５に積載され、運搬台車１５は天井クレーン１９の鉛直下方の位置まで水平移動する。そして、運搬台車１５上の資機材９が天井クレーン１９で吊上げられ、運搬台車１５が張出ステージ１３上に退避した後、資機材９は天井クレーン１９によって鉛直下方に吊下ろされ、鋼管矢板井筒１内部に搬送される。
【００４１】
なお、鋼管矢板井筒１内部への資機材９の搬送に関して、張出ステージ１３上に仮置きされた資機材９同士が張出ステージ１３上で組み立てられユニット化されて、当該資機材ユニットが鋼管矢板井筒１の内部に吊下ろされてもよい（ユニット吊下工程）。具体例として、資機材９の一例である足場材が張出ステージ１３上で地組みされて足場ユニットが形成され、この足場ユニットが揚重設備１７、運搬台車１５、及び天井クレーン１９を用いて鋼管矢板井筒１内部へ搬送されてもよい。
【００４２】
橋脚３３の構築に用いられる足場は、橋脚３３の構築予定位置と鋼管矢板井筒１の内壁面との間の狭隘スペースに設置する必要がある。また、足場を組立てる際には、橋脚３３の高さに対応する高所での作業が必要になる。これに対し、上記のように、比較的安全な張出ステージ１３上で予めユニット化された足場ユニットが鋼管矢板井筒１内部に搬送されることで、上記のような狭隘スペース且つ高所における作業が削減され工事の危険が低減される。また、資機材の揚重回数が削減される。このような資機材ユニットとしては、上記のように地組された足場ユニットの他、鉄筋同士（帯鉄筋及び中間帯鉄筋など）を組立ててなる鉄筋ユニットや、外型枠、内型枠及び大判型枠を組立ててなる型枠ユニット、等が考えられる。なお、上記のような資機材ユニットは、架設桁５上、又は左岸において既に組立てられていてもよい。
【００４３】
以上説明したような橋脚構築方法が繰返し実行されることで、右岸側に向かって各橋脚３３が順次完成していく。なお、完成後の各橋脚３３においては、それぞれ、柱頭部が構築され各柱頭部から張出架設工法によって橋桁が構築されるようにしてもよい。このような本実施形態の橋脚構築方法では、橋脚３３が主に上空から施工されることで浚渫量が削減されて環境への影響が軽減されると共に渇水期を含めた通年施工を可能になり施工期間の短縮が図られる。そして、本実施形態の橋脚構築方法によれば、鋼管矢板井筒１の近傍まで片持ちで架設桁５を延伸して鋼管矢板井筒１に仮支柱７を構築するので、主に上空からの橋脚３３の施工を効率良く行うことができる。
【００４４】
（第２実施形態）
続いて、第２実施形態に係る橋脚構築方法について説明する。本実施形態の説明において、第１実施形態と同一又は同等の構成要素には同一の符号を付して重複する説明を省略する。前述の第１実施形態では、架設桁５が仮支柱７を介して鋼管矢板井筒１で支持されるのに対し、本実施形態は、架設桁５が河底７１に打設された仮支柱３７で支持される点において異なっている。本実施形態の橋脚構築方法は、次に説明する締切工程と、仮支柱構築工程と、桁架設工程と、橋脚構築工程と、を備える。
【００４５】
〔締切工程〕
図６に示されるように、本実施形態の締切工程では、第１実施形態の締切工程と同様に、鋼管矢板井筒１が構築される。
【００４６】
〔仮支柱構築工程〕
図６に示されるように、仮支柱構築工程では、鋼管矢板井筒１の近傍の水域に仮支柱３７が構築される。具体的には、例えば杭打ち台船を用いて、鋼管矢板井筒１の近傍で左岸側及び右岸側それぞれに１本ずつの仮支柱３７が河底７１に打設される。仮支柱３７は、鋼管矢板井筒１よりも高い位置まで、水面７３から上方に突出する。仮支柱３７としては、鋼管矢板井筒１を構成する鋼管３と同様の鋼管が採用されてもよい。この場合、前述の締切工程で使用された鋼管３の打設装置（例えば杭打ち台船）を、当該仮支柱構築工程における仮支柱３７の打設装置としてそのまま使用することができる。
【００４７】
〔桁架設工程〕
桁架設工程の前の段階では、図７に示されるように、鋼管矢板井筒９１の近傍で左岸側及び右岸側それぞれに１本ずつ仮支柱９８が設けられており、破線で示されるように架設桁５は仮支柱９８で支持されている。或いは、仮支柱９８と、更に左岸側に配列された既設の鋼管矢板井筒（図示せず）近傍の仮支柱と、を含めた複数の仮支柱で架設桁５が支持されていてもよい。
【００４８】
桁架設工程では、この状態から、図７に示されるように、仮支柱９８から右岸側に向けて架設桁５が送り出され、最終的には、架設桁５の先端部が鋼管矢板井筒１の鉛直上方を横切る位置まで送り出され、架設桁５の先端部が仮支柱３７に支持される。すなわち、仮支柱９８から仮支柱３７に対して架設桁５が架け渡された状態となり、架設桁５は少なくとも仮支柱９８及び仮支柱３７によって支持される。また、第１実施形態と同様に、架設桁５と仮支柱３７，９８との間には、適宜、サンドル、ジャッキ、駆動シンクロジャッキ、エンドレスローラー等を含む嵩上装置３９が挟み込まれる。このように架け渡された架設桁５と、鋼管矢板井筒１と、の位置関係は第１実施形態と同様である。従って、架設桁５上の揚重設備２１を用いて、架設桁５上と張出ステージ１３上との間での資機材９の搬送が可能である。
【００４９】
〔橋脚構築工程〕
図８に示されるように、橋脚構築工程では、第１実施形態と同様に、張出ステージ１３が構築される。更に、第１実施形態と同様に、水中掘削、敷石層２７の構築、底盤コンクリート２９の構築、ドライアップ、頂版コンクリート３１の構築、橋脚３３の構築が実行されて、橋脚３３が完成する。また、第１実施形態と同様に、柱頭部４１の構築、及び張出架設工法による橋桁の構築が実行されて、橋桁が構築される。
【００５０】
以上、本発明の第１及び第２実施形態について説明したが、本発明は、上記実施形態に限られるものではなく、各請求項に記載した要旨を変更しない範囲で変形したものであってもよい。各実施形態の構成を適宜組み合わせて使用してもよい。
【００５１】
例えば、各実施形態における鋼管矢板井筒１代えて、鋼殻ケーソン又はニューマチックケーソンが、橋脚の基礎を構築するための前段構造物として採用されてもよい。この場合、各実施形態における締切工程に代えて、水域にケーソンを沈設するケーソン沈設工程が前段構造物構築工程として実行される。この種の鋼殻ケーソン又はニューマチックケーソンの設置方法については公知の方法を採用すればよく、更なる詳細な説明は省略する。
【００５２】
また、鋼管矢板井筒１は平面視円環状のものに限られず、例えば、いわゆる小判形の鋼管矢板井筒であってもよく、平面視矩形の鋼管矢板井筒であってもよい。また、各実施形態における鋼管矢板井筒１代えて、複数の鋼矢板を井筒状に配置して水域を締切る締切工が採用されてもよい。第２実施形態においては、１つの鋼管矢板井筒に対して２本の仮支柱３７が設けられているが、１つの鋼管矢板井筒に対して設けられる仮支柱３７の本数はこれには限定されず、必要に応じて適宜設計すればよい。また、第１実施形態において、仮支柱７及び嵩上装置１２は、鋼管矢板井筒１に向けて送り出される架設桁５の先端部下面に予め設けられていてもよい。
【００５３】
さらに、張出ステージ１３は鋼管矢板井筒１を中心とする円環板状をなすものに限られず、例えば、矩形状のものでもよく、鋼管矢板井筒１を中心としたとしたものでなく一部が突出したような形状でもよい。
【符号の説明】
【００５４】
１…鋼管矢板井筒（前段構造物、締切工）、５…架設桁、７，３７…仮支柱、９…資機材、１３…張出ステージ、３３…橋脚。
【図１】
2020002778.tif 000003
【図２】
2020002778.tif 000004
【図３】
2020002778.tif 000005
【図４】
2020002778.tif 000006
【図５】
2020002778.tif 000007
【図６】
2020002778.tif 000008
【図７】
2020002778.tif 000009
【図８】
2020002778.tif 000010
【図９】
2020002778.tif 000011
【図１０】
2020002778.tif 000012
【図１１】
2020002778.tif 000013
【図１２】
2020002778.tif 000014